(57)【要約】      （修正有）【課題】初心者や手及び指先の自由が利かない高齢者や障害者であってもピックによる撥弦を容易に行える大正琴演奏補助具を提供する。【解決手段】大正琴１の共鳴胴に着脱自在な支持部材２０と、一方の端部にピックを把持し、他方の端部がスタート位置を起点にして弦３に直交する前後方向に往復移動可能となるように支持部材に支持されるアーム部材３０と、該アーム部材の往路では、ピックが弦に接触する高さでアーム部材をスタート位置から前方に移動させ、復路ではピックが弦に接触しない高さでアーム部材を後方に移動させてスタート位置に戻すピック位置可変機構４０と、アーム部材に連結するワイヤーを介して、ペダルの開閉動作によりアームを往復移動させる足踏み式ペダルを備える。【選択図】図１
0003171871.tif 000002
【実用新案登録請求の範囲】
【請求項１】
大正琴の共鳴胴に着脱自在な支持部材と、
一方の端部にピックを把持し、他方の端部がスタート位置を起点にして弦に直交する前後方向に往復移動可能となるように前記支持部材に支持されるアーム部材と、
前記アーム部材の往路では、前記ピックが弦に接触する高さで前記アーム部材を前記スタート位置から前方に移動させ、復路では前記ピックが弦に接触しない高さで前記アーム部材を後方に移動させて前記スタート位置に戻すピック位置可変機構と、
前記アーム部材に連結するワイヤーを介して、ペダルの開閉動作により前記アームを往復移動させる足踏み式ペダルを備えることを特徴とする大正琴演奏補助具。
【請求項２】
前記ピック位置可変機構が、前方から後方に向かって上昇する傾斜部と、
水平面内後方にのびる第一水平部と、当該第一水平部と同一平面内であって、前記第一水平部の前端近傍から前方にのびる第二水平部と、前記ピックと一体に移動しながら当該ピックの往復移動をガイドするガイド部材を備えており、
前記アーム部材を前記スタート位置に存在するように弾性的に付勢した状態で、前記ガイド部材が、ピックの往路では前記付勢力に抗して前記スタート位置から前記傾斜部の表面を前方から後方に向かって摺動することで前記アーム部材を上方に移動させると共に前記第一水平部の表面を前方から後方に向かって摺動することで前記アーム部材を水平面内後方に移動させ、ピックの復路では前記付勢力に従って、前記第一水平部の表面及び前記第二水平部の表面を後方から前方に向かって摺動することで前記アーム部材を水平面内前方に移動させた後、前記第二水平部の前端から下方に落下することで前記アーム部材を前記スタート位置に戻すことを特徴とする請求項１に記載の大正琴演奏補助具。
【考案の詳細な説明】
【技術分野】
【０００１】
本考案は、指先の自由が利かない高齢者や障害者でもピックによる撥弦操作を容易に行える大正琴演奏補助具に関する。
【背景技術】
【０００２】
大正琴は、直方体状の共鳴胴本体の上面の一端側に糸巻装置及び弦を支持する上駒を設け、上面の他端側に弦の他端を係止する弦係止部材及び弦を支持する下駒を設け、上駒と下駒との間に張設した弦の張力を糸巻装置により調節して所定の音（例えばＧ音）に調律し、下駒に近い演奏位置においてピック（義甲）で撥弦することにより、音を発生させる。そして、上駒と下駒との間に張設した弦の下方の所定位置にフレットを配置した指板を備えており、所定の音階ボタンを押し下げて弦を指板に圧接することで所定の音階を発音させるようになっている。
【０００３】
こうした従来の大正琴では、澄んだ大きな音色を出すにはピックを弦に対して直角に強く当てる必要があり、また、単一あるいは複数の高さの音を連続して小刻みに演奏するトレモロではピックを素早く往復移動させる必要があるため、初心者や手及び指先の自由が利かない高齢者や障害者が演奏を気軽に楽しむのが難しいという問題があった。
そこで、例えば特許文献１には、弦と直交する方向に摺動する摺動体を設け、この摺動体の下面に複数のピックを取り付けた大正琴演奏補助具が開示されている。
【先行技術文献】
【特許文献】
【０００４】
【特許文献１】特公昭６３−４２２６５号公報
【考案の概要】
【考案が解決しようとする課題】
【０００５】
しかし、上述した従来技術では以下のような問題がある。
すなわち、特許文献１の演奏補助具では、摺動体の一部を指でつまんで前後方向に摺動させる必要があるため、手及び指先の自由が利かない高齢者や障害者が摺動体を指でつまんで動かすことが困難という問題がある。
【０００６】
本考案は上記問題に鑑み、初心者や手及び指先の自由が利かない高齢者や障害者であってもピックによる撥弦を容易に行える大正琴演奏補助具を提供することを目的とする。
【課題を解決するための手段】
【０００７】
本考案の大正琴演奏補助具は、大正琴の共鳴胴に着脱自在な支持部材と、一方の端部にピックを把持し、他方の端部がスタート位置を起点にして弦に直交する前後方向に往復移動可能となるように前記支持部材に支持されるアーム部材と、前記アーム部材の往路では、前記ピックが弦に接触する高さで前記アーム部材を前記スタート位置から前方に移動させ、復路では前記ピックが弦に接触しない高さで前記アーム部材を後方に移動させて前記スタート位置に戻すピック位置可変機構と、前記アーム部材に連結するワイヤーを介して、ペダルの開閉動作により前記アームを往復移動させる足踏み式ペダルを備えることを特徴とする。
【０００８】
また、前記ピック位置可変機構が、前方から後方に向かって上昇する傾斜部と、水平面内後方にのびる第一水平部と、当該第一水平部と同一平面内であって、前記第一水平部の前端近傍から前方にのびる第二水平部と、前記ピックと一体に移動しながら当該ピックの往復移動をガイドするガイド部材を備えており、前記アーム部材を前記スタート位置に存在するように弾性的に付勢した状態で、前記ガイド部材が、ピックの往路では前記付勢力に抗して前記スタート位置から前記傾斜部の表面を前方から後方に向かって摺動することで前記アーム部材を上方に移動させると共に前記第一水平部の表面を前方から後方に向かって摺動することで前記アーム部材を水平面内後方に移動させ、ピックの復路では前記付勢力に従って、前記第一水平部の表面及び前記第二水平部の表面を後方から前方に向かって摺動することで前記アーム部材を水平面内前方に移動させた後、前記第二水平部の前端から下方に落下することで前記アーム部材を前記スタート位置に戻すことを特徴とする。
【考案の効果】
【０００９】
本考案の大正琴演奏補助具によれば、演奏者は足踏み式ペダルを操作することで撥弦することができるので、初心者や手及び指先の自由が利かない高齢者や障害者であっても撥弦を容易に行え、演奏を気軽に楽しむことができる。
また、既存の大正琴に容易に取り付けることができるので汎用性が高い。
また、足踏み式ペダルの踏み込み量を調節することで全ての弦のうち複数の弦のみを演奏することも容易に行える。
また、モータ等の電気的な駆動手段を使用しないので場所を選ばず演奏できる。
【図面の簡単な説明】
【００１０】
【図１】大正琴及び大正琴演奏補助具の外観を示す斜視図
【図２】大正琴演奏補助具の要部斜視図
【図３】大正琴演奏補助具の右側面を示す要部斜視図
【図４】大正琴演奏補助具の要部斜視図
【図５】大正琴演奏補助具の要部斜視図
【図６】大正琴演奏補助具の要部斜視図
【図７】足踏み式ペダルを示す斜視図
【図８】ピック位置可変機構の動作を示す図（ａ）〜（ｇ）
【図９】ピック位置可変機構の動作を示す図
【図１０】ピック位置可変機構の動作を示す図
【図１１】ピック位置可変機構の動作を示す図
【図１２】ピック位置可変機構の動作を示す図
【図１３】ピック位置可変機構の動作を示す図
【図１４】ピック位置可変機構の動作を示す図
【図１５】第二の実施の形態の大正琴演奏補助具の要部斜視図
【図１６】ピック位置可変機構の動作を示す図
【図１７】ピック位置可変機構の動作を示す図
【図１８】第三の実施の形態の大正琴演奏補助具の要部斜視図
【図１９】足踏み式ペダルの他の構成例を示す斜視図
【図２０】足踏み式ペダルの動作を示す右側面図
【図２１】足踏み式ペダルの動作を示す右側面図
【考案を実施するための形態】
【００１１】
［第一の実施の形態］
図１及び図２に示すように、本考案の第一の実施の形態における大正琴演奏補助具１０は、支持部材２０、アーム部材３０、ピック位置可変機構４０、足踏み式ペダル５０を備える。
大正琴１自体は一般的に広く利用されているものと同一であるため詳しい説明は省略するが、共鳴孔２ａを備えた左右方向に長い箱型の共鳴胴２の上面に張設した複数本の弦３、弦３を押さえ音程を決める複数のキーレバー４、キーレバー４の後端を覆うとともに譜面台として用いる天板５、キーレバー４の前端上面に取り付けた音階ボタン６、弦３の両端部を係止する下駒７ａ及び上駒７ｂ、複数のフレットを有する指板８、各弦３の一端部が巻付けられる複数個の糸巻装置９等から概略構成される。
弦３は下駒７ａと上駒７ｂ間の部分がＧ音の開放弦３となるように調律されており、演奏者が弦３を所定のキーレバー４で押し下げたとき、キーレバー４から下駒７ａ間の部分が有効振動発音部となって所定の音階の音を発音する。
【００１２】
図２及び図３に示すように、支持部材２０は第一フレーム２１と第二フレーム２２を備える。
第一フレーム２１は側面視した場合に下方に開口したほぼコ字状の金属製の部材であり、上下方向にのびる前後２本の脚部（前脚部２１ａと後脚部２１ｂ）とこれら脚部の上端を繋ぐ上面部２１ｃとから成る。
前脚部２１ａと後脚部２１ｂの下部はそれぞれ水平方向に屈曲しており、この屈曲した箇所に設けたねじ穴に高さ調整用ねじ２１ｄを螺合させ、この高さ調整用ねじ２１ｄの下端をゴム製のクッション部材２１ｅで覆っている。
【００１３】
また、前脚部２１ａと後脚部２１ｂの下部にもねじ穴が設けられており、このねじ穴に共鳴胴２との脱着の際に使用する固定用ねじ２１ｆを螺合させ、この固定用ねじ２１ｆの先端をゴム製のクッション部材２１ｇで覆っている。
上面部２１ｃにはアーム部材３０の前後方向の移動を規制するストッパー２１ｈを前後２本立設しており、さらに、大正琴演奏補助具１０を脱着する際に掴むためのハンドル２１ｉを取り付けている。
【００１４】
第二フレーム２２は正面視した場合にほぼＬ字状の金属製の部材であり、左右方向にのびる上面部２２ａと上面部２１ｃの右端から下方にのびる脚部２２ｂとから成る。
上面部２２ａは、その左端において第一フレーム２１の上面部２１ｃの右側面に接合している。また、詳しい説明は後述するが上面部２２ａに設けた開口に筒状部材２２ｃが取り付けられており、アーム部材３０の端部をこの筒状部材２２ｃに挿入することで、アーム部材３０は筒状部材２２ｃによって前後方向に往復移動可能となるように支持されている。
脚部２２ｂの下部にはねじ穴が設けられており、このねじ穴に共鳴胴２との脱着の際に使用する固定用ねじ２２ｄを螺合させ、この固定用ねじ２２ｄの先端をゴム製のクッション部材２２ｅで覆っている
【００１５】
以上の通り、大正琴演奏補助具１０は前後２ヵ所の高さ調整用ねじ２１ｄで上下方向の位置を調節し、前後の固定用ねじ２１ｆで前後方向の位置を調節し、右側の固定用ねじ２２ｄで左右方向の位置を調節すると共に、これら３本の固定用ねじ２１ｆ、２２ｄで共鳴胴２に固定する構造になっている。
【００１６】
アーム部材３０は正面視した場合にほぼＬ字状の金属製の棒状部材である。
図４及び図５に示すように、アーム部材３０の左端にはブラケット３１を介してピック３２が脱着自在にねじ止めにより把持されている。また、詳しい説明は後述するが、ブラケット３１にはアーム部材３０及びピック３２の往復移動をガイドするガイド用部材４５が取り付けられている。
図２に示すように、アーム部材３０の右端は下方に屈曲しており、この屈曲した部分は第二フレーム２２の上面部２２ａに設けた開口に固定されている筒状部材２２ｃの内部に挿入される。
筒状部材２２ｃの表面には雄ねじ山が形成されている。この雄ねじ山は開口の内周面に設けた雌ねじ山に螺合しているので、筒状部材２２ｃを軸回りに回転させることで筒状部材２２ｃの上下方向の位置を調節することが可能となっている。
【００１７】
また、筒状部材２２ｃの内部には弾性を有するゴム製のライニングが施されており、アーム部材３０の右端部分をこのライニングで包み込むことで、アーム部材３０は筒状部材２２ｃの内周面を摺動自在に片持ち梁状態で保持されることになる。
このようにアーム部材３０の右端部分を筒状部材２２ｃの内部に挿入することで、アーム部材３０は筒状部材２２ｃで保持された箇所を中心にして、ピック３２を把持する左端部分が前後方向に往復移動可能になると共に、ライニングの弾性及びアーム部材３０のたわみを利用して上下方向にも僅かに移動できる構造になっている。
【００１８】
また、アーム部材３０はピック３２を把持している左端側が第一フレーム２１の上面部２１ｃよりも下方に位置するように僅かに下方に屈曲しており、全体として緩やかな弧を描く形状になっている。
このようなアーム部材３０の円弧形状、アーム部材３０の片持ち梁構造及び筒状部材２２ｃ内部のゴム製のライニングによって、アーム部材３０及びピック３２は下方に弾性的に付勢された状態になっている。
【００１９】
図５に示すように、アーム部材３０の中央付近にはばね３４とワイヤー３５の各々の端部が係止している。
ばね３４はその前端において第一フレーム２１の上面部２１ｃに係止しており、その後端においてアーム部材３０の中央付近に係止している。
ワイヤー３５はその一方の端部がアーム部材３０の中央付近であってばね３４と対向する位置に係止しており、他方の端部は後述する足踏み式ペダル５０（図７参照）に連結している。
また、図４に示すように、ばね３４とワイヤー３５が係止している位置の近傍にゴム製のリング３６が挿入されている。
【００２０】
演奏者が足踏み式ペダル５０を踏むとアーム部材３０がワイヤー３５によって後方に引っ張られ、リング３６が後方のストッパー２１ｈに衝突することでアーム部材３０の後方への移動が止まり、次に足踏み式ペダル５０を離すとアーム部材３０がばね３４によって前方に引き戻され、リング３６が前方のストッパー２１ｈに衝突することでアーム部材３０の前方への移動が止まる構造になっている。
ここで、以下の説明においては、演奏者が足踏み式ペダル５０を離した状態、すなわち、アーム部材３０がばね３４によって最も前方に移動し、前方のストッパー２１ｈに接触している位置を「スタート位置」と表記する。図６及び図８（ａ）がスタート位置の状態を示している。
つまり、アーム部材３０及びピック３２はばね３４によって前方に弾性的に付勢されると共に、上述したアーム部材３０の円弧形状及び筒状部材２２ｃ内部のゴム製のライニングによって下方へも弾性的に付勢されることで、スタート位置に弾性的に付勢された状態となっている。
【００２１】
ピック位置可変機構４０は、アーム部材３０の往路（後方への移動）ではピック３２が弦３に接触する高さでアーム部材３０をスタート位置から前方に移動させ、復路（前方への移動）ではピック３２が弦３に接触しない高さでアーム部材３０を後方に移動させてスタート位置に戻すためのものである。
具体的には、図４及び図８（ａ）に示すように、ピック位置可変機構４０は傾斜部４１、第一水平部４２及び第二水平部４３を備える。
傾斜部４１は平面視した場合に第一フレーム２１の上面部２１ｃの左側に位置する部材であり、前方から後方に向かって上昇（傾斜）する部材である。
【００２２】
第一水平部４２は傾斜部４１の後端から連続して水平面内後方にのびる部材である。
本実施の形態においては傾斜部４１と第一水平部４２は金属製の棒状部材により一体的に成形されている。第一水平部４２の後端は、第一フレーム２１の上面部２１ｃから左側に突出して設けられているブラケット４４にねじ止めされている。
第二水平部４３は第一水平部４２と同一平面内であって、傾斜部４１の後端近傍から前方にのびる金属製の弾性を有する板状部材であり、第一フレーム２１の上面部２１ｃに固定されている。
なお、詳しい説明は後述するが、図８（ａ）に示すように、第二水平部４３の後端の位置（前後方向の位置）を、側面視した場合に傾斜部４１の後端（第一水平部４２の前端）よりもわずかに後方に位置させることが好ましい。
【００２３】
上述の通り、アーム部材３０のブラケット３１には右方向に突出するガイド用部材４５が取り付けられている。
ガイド用部材４５はアーム部材３０及びピック３２と一体に移動することで当該ピック３２の往復移動をガイドするためのものである。
足踏み式ペダル５０は、アーム部材３０に連結するワイヤー３５を介して、ペダルの開閉動作によりアームを往復移動させるためのものである。
具体的には、図７に示すように、足踏み板の一部にワイヤー３５の端部が接続しており、当該ワイヤー３５はチューブ４６内を通って上述したアーム部材３０に係止している。チューブ４６の他方の端部は第一フレーム２１の後端部に固定されている（図２参照）。
【００２４】
次に、上述した大正琴演奏補助具１０の動作（使用方法）について説明する。
まず、演奏者は２本の高さ調整用ねじ２１ｄ及び３本の固定用ねじ２１ｆ、２２ｄを用いて大正琴演奏補助具１０の位置を調節し、共鳴胴２に固定する。
図４及び図８（ａ）に示すように、演奏開始直前の時点ではアーム部材３０及びピック３２はばね３４や筒状部材２２ｃ等によって弾性的に付勢された状態でスタート位置に存在する。スタート位置ではピック３２の下端は弦３よりも下方に位置している。ピック３２を下方に下げるほど、ピック３２が弦３に対して強く接触するので大きな音を出すことができる。
【００２５】
演奏者が足踏み式ペダル５０を踏み込むと、アーム部材３０及びピック３２は付勢力に抗して後方への移動を開始する（図９参照）。
ピック３２が最も前方の弦３（演奏者にとって手前の弦３）に接触した状態ではガイド用部材４５は傾斜部４１の表面に接触しておらず、更に後方へ移動することで複数の弦３を前方から後方へと撥弦していく（図１０参照）。
そして、全ての弦３を撥弦し終えたタイミングで、ガイド用部材４５は傾斜部４１の表面に接触し（図８（ｂ）及び図１１参照）、ばね３４の付勢力に抗しながら傾斜部４１表面を後方（斜め上方）へ摺動していく（図８（ｃ）参照）。
そして、ガイド用部材４５が傾斜部４１の後端まで移動した後、傾斜部４１の後端から連続して水平面内後方にのびる第一水平部４２の前端に至る。
【００２６】
ここで、上述の通り、第二水平部４３の後端の位置（前後方向の位置）が、側面視した場合に傾斜部４１の後端（第一水平部４２の前端）よりもわずかに後方に位置している（図８（ａ）参照）。
そして、ガイド用部材４５が第二水平部４３の後端の下面に接触することで、第二水平部４３の後端は僅かに上方に弾性的に変形する（図８（ｄ）参照）。
ガイド用部材４５は第二水平部４３の後端を僅かに変形させることで、側面視した場合に傾斜部４１後端と第二水平部４３後端の間に僅かな空隙を設け、その空隙を通って第一水平部４２の後端側に移動していく（図１２参照）。
【００２７】
そして、アーム部材３０のリング３６が後方のストッパー２１ｈに衝突することでアーム部材３０の後方への移動（往路）が止まる（図８（ｅ）参照）。
次に演奏者が足踏み式ペダル５０を離すと、ばね３４による前方への付勢力によってアーム部材３０は第一水平部４２の表面を前方に移動し始める。
この際に、第一水平部４２と第二水平部４３は同一平面内に位置しており、更に上述の通り、第二水平部４３の後端の位置（前後方向の位置）が、側面視した場合に傾斜部４１の後端（第一水平部４２の前端）よりもわずかに後方に位置しているので、ガイド用部材４５は第一水平部４２の前端から、傾斜部４１側へは移動せず、第二水平部４３の表面を前方へ摺動していく（図８（ｆ）参照）。
ガイド用部材４５が第二水平部４３の表面を摺動することにより、ピック３２は弦３の上方を撥弦することなく通過していく（図１３及び図１４参照）。
【００２８】
そして、アーム部材３０のリング３６が前方のストッパー２１ｈに衝突することでアーム部材３０の前方への移動が止まる。
ガイド用部材４５は第二水平部４３の前端から付勢力に従って下方に落下してスタート位置に戻る（図８（ｇ）及び図４参照）。
以上で複数の弦３を同時に撥弦する場合の動作が完了する。
【００２９】
一方、単一あるいは複数の弦３を連続して小刻みに演奏するトレモロの場合、ガイド用部材４５が第一水平部４２にまで至らないように演奏者が足踏み式ペダル５０の踏み込み量を調節すればよい。アーム部材３０及びピック３２はスタート位置に戻るように付勢されているので、ピック３２が所望の弦３を撥弦したタイミングで足踏み式ペダル５０の踏み込みを止めて足を離し、ピック３２を前方へ移動させた後、スタート位置まで戻る前に再び踏み込むことで素早い演奏が可能になる。
【００３０】
［第二の実施の形態］
次に本考案の第二の実施の形態について説明するが、上記第一の実施の形態と同一の構成となる箇所については同一の符号を付してその説明を省略する。
本実施の形態においては、図１５及び図１６に示す通り、傾斜部４１ａを第一フレームの上面部２１ｃに配置している点に特徴を有する。
そして、上記第一の実施の形態で示したアーム部材３０のブラケット３１に取り付けたガイド用部材４５を第一ガイド用部材４５ａとし、アーム部材３０に挿入したリング３６を第二ガイド用部材４５ｂとしている。
【００３１】
そして、ピック３２の往路では、演奏者が足踏み式ペダル５０を踏み込むと、ピック３２が複数の弦３を前方から後方へと撥弦していく。その後、第二ガイド用部材４５ｂが傾斜部４１ａの表面を前方から後方に向かって摺動することでアーム部材３０が上方に移動していき、第一ガイド用部材４５ａが第二水平部４３の後端を僅かに上方に弾性的に変形させることで形成した空隙を通って第一水平部４２の後端側に移動する。
そして、ピック３２の復路では、演奏者が足踏み式ペダル５０を離すと、図１７に示す通り、第二ガイド用部材４５ｂが傾斜部４１の表面を後方から前方に向かって摺動することでアーム部材３０が下方に移動していき、第一ガイド用部材４５ａが第一水平部４２及び第二水平部４３の表面を前方に摺動することにより、ピック３２は弦３の上方を撥弦することなく通過していく。そして、第一ガイド用部材４５ａが第二水平部４３の前端から付勢力に従って下方に落下することでピック３２及びアーム部材３０がスタート位置に戻る。
【００３２】
［第三の実施の形態］
次に本考案の第三の実施の形態について説明するが、上記第一及び第二の実施の形態と同一の構成となる箇所については同一の符号を付してその説明を省略する。
本実施の形態においては、図１８に示す通り、アーム部材３０及びピック３２をスライドレール６０を利用して往復移動させる点に特徴を有する。
具体的には、スライドレール６０のレール６１を第一フレーム２１に取り付けておき、このレール６１に四角枠状のスライド部６２を摺動自在となるように挿入する。そして、スライド部６２の側面にブラケット６３を介してばね３４とワイヤー３５の各々の端部を係止すると共に蝶番６４を介してアーム部材３０を取り付ける。蝶番６４を利用することでアーム部材３０が上方へ回転することが可能になる。
【００３３】
そして、ピック３２の往路では、演奏者が足踏み式ペダル５０を踏み込むと、ピック３２が複数の弦３を前方から後方へと撥弦し、第一の実施の形態で示したものと同様のガイド用部材４５が傾斜部４１の表面を前方から後方に向かって摺動することでアーム部材３０が上方に移動（回転）していき、ガイド用部材４５が第二水平部４３の後端を僅かに上方に弾性的に変形させることで形成した空隙を通って第一水平部４２の後端側に移動していく。そして、スライド部６２の後端がレール６１に立設したストッパー６５に衝突することで後方への移動が完了する。
そして、ピック３２の復路では、演奏者が足踏み式ペダル５０を離すと、ガイド用部材４５が第一水平部４２及び第二水平部４３の表面を前方に摺動することにより、ピック３２は弦３の上方を撥弦することなく通過していく。そして、ガイド用部材４５が第二水平部４３の前端から付勢力に従って下方に落下することでピック３２及びアーム部材３０がスタート位置に戻る。
【００３４】
なお、足踏み式ペダル５０に関しては、演奏者の好みに応じてその前後方向の向きを反対にしてもよく、また、左右のいずれの足で操作してもよい。
また、足踏み式ペダルを図１９〜図２１に示す構成にしてもよい。なお、図２０及び図２１はカバー５１を取り外した状態を示している。
具体的には、図２０に示すように、ペダル本体５２及び複数のリンク部材５３が支持板５４に取り付けられており、矢印で示す通り、ペダル本体５２を足で後方に押し下げることでリンク部材５３の端部が、支持板５４に軸支された箇所５３ａを中心にして前方へ移動し、ワイヤー３５が前方に引っ張られることでアーム部材３０を後方に移動させるようになっている。
【産業上の利用可能性】
【００３５】
初心者や手及び指先の自由が利かない高齢者や障害者であってもピックによる撥弦を容易に行える大正琴演奏補助具に関するものであり、産業上の利用可能性を有する。
【符号の説明】
【００３６】
１    大正琴
１０  大正琴演奏補助具
２０  支持部材
２１  第一フレーム
２２  第二フレーム
３０  アーム部材
３２  ピック
３４  ばね
３５  ワイヤー
３６  リング
４０  ピック位置可変機構
４１  傾斜部
４１ａ  傾斜部
４２  第一水平部
４３  第二水平部
４４  ブラケット
４５  ガイド用部材
４５ａ  第一ガイド用部材
４５ｂ  第二ガイド用部材
５０  足踏み式ペダル
【図１】
0003171871.tif 000003
【図２】
0003171871.tif 000004
【図３】
0003171871.tif 000005
【図４】
0003171871.tif 000006
【図５】
0003171871.tif 000007
【図６】
0003171871.tif 000008
【図７】
0003171871.tif 000009
【図８】
0003171871.tif 000010
【図９】
0003171871.tif 000011
【図１０】
0003171871.tif 000012
【図１１】
0003171871.tif 000013
【図１２】
0003171871.tif 000014
【図１３】
0003171871.tif 000015
【図１４】
0003171871.tif 000016
【図１５】
0003171871.tif 000017
【図１６】
0003171871.tif 000018
【図１７】
0003171871.tif 000019
【図１８】
0003171871.tif 000020
【図１９】
0003171871.tif 000021
【図２０】
0003171871.tif 000022
【図２１】
0003171871.tif 000023